(57)【特許請求の範囲】
【請求項１】
第一の情報処理装置と、
前記第一の情報処理装置が処理動作を行う際に使用する処理情報を記憶する外部記憶装置と、
前記外部記憶装置に対して前記処理情報の読み書きのアクセスをし、該外部記憶装置に記憶されている前記処理情報を管理する第二の情報処理装置と、
前記第一の情報処理装置と前記外部記憶装置間、および前記第二の情報処理装置と前記外部記憶装置間における前記処理情報の読み書きを制御する制御装置であって、前記第一の情報処理装置からの情報を記憶する記憶手段を有する読み書き制御装置と、で構成されたシステムにおける情報読出し書込み方法において、
前記読み書き制御装置は、
前記第二の情報処理装置からの前記外部記憶装置へのアクセス要求を認識した場合に、第一の情報処理装置が前記外部記憶装置にアクセスしているか否かを認識し、前記第一の情報処理装置が前記外部記憶装置にアクセスしているときは、前記第二の情報処理装置にアクセスできないことを通知し、また、前記第一の情報処理装置が前記外部記憶装置にアクセスしていないときは、前記第一の情報処理装置と前記外部記憶装置間の論理的接続から、前記第二の情報処理装置と前記外部記憶装置間の論理的接続になるように切替えして、前記第二の情報処理装置から前記外部記憶装置に対して前記処理情報の読み書きのアクセスを可能な状態にし、
前記第二の情報処理装置と前記外部記憶装置とを接続している状態で、前記第一の情報処理装置による前記外部記憶装置へのアクセス開始を認識したときは、前記第一の情報処理装置と前記記憶手段とを接続して、前記第一の情報処理装置からの情報を前記記憶手段に一時的に記憶しておき、前記第二の情報処理装置が前記外部記憶装置へのアクセスを終了したときに、前記記憶手段に一時的に記憶した情報を前記外部記憶装置に転送することを特徴とする情報読出し書込み方法。
【請求項２】
電話交換装置を制御する交換制御装置と、
前記交換制御装置が制御動作を行う際に使用する制御情報を記憶する外部記憶装置と、
前記外部記憶装置に対して前記制御情報の読み書きのアクセスをし、当該外部記憶装置に記憶されている前記制御情報を管理する管理装置と、
前記交換制御装置と前記外部記憶装置間、および前記管理装置と前記外部記憶装置間における情報の読み書きを制御する読み書き制御装置とを有する電話交換システムであって、
前記読み書き制御装置に、
前記交換制御装置からの情報を一時的に記憶する記憶手段と、
前記交換制御装置が前記外部記憶装置にアクセスしているか否かを認識する認識手段と、
前記管理装置を接続し、当該管理装置からの前記外部記憶装置へのアクセス要求を受信して、前記管理装置との間に通信路を設定する接続手段と、
前記外部記憶装置を前記交換制御装置または前記接続手段に切り替え接続する切替手段と、
前記接続手段を介して前記管理装置からの前記外部記憶装置へのアクセス要求を受信した場合に、前記認識手段にて前記交換制御装置が前記外部記憶装置にアクセスしていると認識したときは、アクセスできないことを前記接続手段を介して前記管理装置に通知し、また、前記交換制御装置が前記外部記憶装置にアクセスしていないと認識したときは、前記切替手段によって前記接続手段と前記外部記憶装置とを接続して、前記管理装置から前記外部記憶装置に対して前記制御情報の読み書きのアクセスを可能な状態にすると共に、前記管理装置が前記外部記憶装置をアクセスしている状態で、前記認識手段にて前記交換制御装置から前記外部記憶装置への書き込みアクセスが開始されることを認識した場合に、前記切替手段を制御して前記交換制御装置と前記記憶手段とを接続して、前記交換制御装置からの制御情報を前記記憶手段に一時的に記憶しておき、前記管理装置が前記外部記憶装置をアクセスしていない状態に移行したときに、前記記憶手段に一時的に記憶した制御情報を前記外部記憶装置に転送する制御手段と、
を備えたことを特徴とする電話交換システム。
【請求項３】
電話網と、
第一の情報処理装置と、
前記第一の情報処理装置が処理動作を行う際に使用する処理情報を記憶する外部記憶装置と、
前記電話網に接続されており、前記外部記憶装置に対して前記処理情報の読み書きのアクセスをし、当該外部記憶装置に記憶されている処理情報を管理する第二の情報処理装置と、
前記電話網、前記第一の情報処理装置、および前記外部記憶装置に接続されており、前記第一の情報処理装置と前記外部記憶装置間、および前記第二の情報処理装置と前記外部記憶装置間における情報の読み書きを制御する読み書き制御装置とを有する遠隔情報転送システムであって、
前記読み書き制御装置に、
前記第一の情報処理装置からの情報を一時的に記憶する記憶手段と、
前記第一の情報処理装置が前記外部記憶装置にアクセスしているか否かを監視する監視手段と、
前記電話網に接続され、前記第二の情報処理装置からの前記外部記憶装置へのアクセス要求を受信し、前記第二の情報処理装置との間に通信路を設定する回線接続手段と、
前記外部記憶装置を前記第一の情報処理装置または前記回線接続手段に切り替え接続する切替手段と、
前記回線接続手段を介して前記第二の情報処理装置からの前記外部記憶装置へのアクセス要求を受信した場合に、前記監視手段にて前記第一の情報処理装置が前記外部記憶装置にアクセスしていると認識しているときは、アクセスできないことを前記回線接続手段および電話網を介して前記第二の情報処理装置に通知し、また、前記第一の情報処理装置が前記外部記憶装置にアクセスしていないと認識しているときは、前記切替手段によって前記回線接続手段と前記外部記憶装置とを接続して、前記第二の情報処理装置から前記外部記憶装置に対して前記処理情報の読み書きのアクセスを可能な状態にすると共に、前記第二の情報処理装置が前記外部記憶装置をアクセスしている状態で、前記認識手段にて前記第一の情報処理装置から前記外部記憶装置への書き込みアクセスが開始されることを認識した場合に、前記切替手段を制御して前記第一の情報処理装置と前記記憶手段とを接続し、前記第一の情報処理装置からの処理情報を前記記憶手段に一時的に記憶しておき、前記第二の情報処理装置が前記外部記憶装置をアクセスしていない状態に移行したときに、前記記憶手段に一時的に記憶した処理情報を前記外部記憶装置に転送する制御手段と、
を備えたことを特徴とする遠隔情報転送システム。
【発明の詳細な説明】
【０００１】
【産業上の利用分野】
本発明は、外部記憶装置への情報の書き込み、および前記外部記憶装置からの情報の読み出しを行う情報読出し書込み方法、並びにこの方法を利用した電話交換システムおよび遠隔情報転送システムに関する。
【０００２】
【従来の技術】
従来、外部記憶装置に対する外部からの情報の読み書きは、人手を介在させて、オンライン状態において外部記憶装置に格納されている処理情報に基づいて処理動作を行う制御装置を用いて行われていた。
【０００３】
外部記憶装置が光磁気ディスク装置である場合は、オフライン状態の制御装置に命令を入力することによって行うか、または光磁気ディスクカートリッジの入替えを直接人手で行っていた。
【０００４】
また外部記憶装置がハードディスク装置である場合は、オフライン状態の制御装置にフロッピーディスク制御装置を接続し、この制御装置に命令を入力することによってフロッピーディスク制御装置内に挿入されたフロッピーディスクの情報を、ハードディスク装置に転送していた。
【０００５】
なお、制御装置を介さず情報を記憶装置に転送する、本発明に関連する技術としては、特開平５−１５８８３８号公報が挙げられる。
【０００６】
【発明が解決しようとする課題】
上記従来技術においては、人手を介在させる必要が生じるため、作業効率に課題があり、またオンライン状態で外部記憶装置へ情報を書き込んだり、外部記憶装置の情報を読み出したりすることが困難であり、従って電話交換システム等の常時オンライン状態を保つ必要があるシステムにおいては、これらが重要な課題であった。
【０００７】
本発明は上記の問題点に鑑みてなされたものであり、外部記憶装置に対する情報の読み書きを容易に行うことができる情報読出し書込み方法、並びにこの方法を利用した電話交換システムおよび遠隔情報転送システムを提供することを目的とするものである。
【０００８】
【課題を解決するための手段】
上記目的を達成するために本発明の情報読出し書込み方法は、第一の情報処理装置と、前記第一の情報処理装置が処理動作を行う際に使用する処理情報を記憶する外部記憶装置と、前記外部記憶装置に対して前記処理情報の読み書きのアクセスをし、該外部記憶装置に記憶されている前記処理情報を管理する第二の情報処理装置と、前記第一の情報処理装置と前記外部記憶装置間、および前記第二の情報処理装置と前記外部記憶装置間における前記処理情報の読み書きを制御する制御装置であって、前記第一の情報処理装置からの情報を記憶する記憶手段を有する読み書き制御装置と、で構成されたシステムにおける情報読出し書込み方法において、前記読み書き制御装置は、前記第二の情報処理装置からの前記外部記憶装置へのアクセス要求を認識した場合に、第一の情報処理装置が前記外部記憶装置にアクセスしているか否かを認識し、前記第一の情報処理装置が前記外部記憶装置にアクセスしているときは、前記第二の情報処理装置にアクセスできないことを通知し、また、前記第一の情報処理装置が前記外部記憶装置にアクセスしていないときは、前記第一の情報処理装置と前記外部記憶装置間の論理的接続から、前記第二の情報処理装置と前記外部記憶装置間の論理的接続になるように切替えして、前記第二の情報処理装置から前記外部記憶装置に対して前記処理情報の読み書きのアクセスを可能な状態にし、前記第二の情報処理装置と前記外部記憶装置とを接続している状態で、前記第一の情報処理装置による前記外部記憶装置へのアクセス開始を認識したときは、前記第一の情報処理装置と前記記憶手段とを接続して、前記第一の情報処理装置からの情報を前記記憶手段に一時的に記憶しておき、前記第二の情報処理装置が前記外部記憶装置へのアクセスを終了したときに、前記記憶手段に一時的に記憶した情報を前記外部記憶装置に転送することを特徴とする方法である。
【０００９】
また本発明の電話交換システムは、請求項２に記載の通り、電話交換装置を制御する交換制御装置と、前記交換制御装置が制御動作を行う際に使用する制御情報を記憶する外部記憶装置と、前記外部記憶装置に対して前記制御情報の読み書きのアクセスをし、当該外部記憶装置に記憶されている前記制御情報を管理する管理装置と、前記交換制御装置と前記外部記憶装置間、および前記管理装置と前記外部記憶装置間における情報の読み書きを制御する読み書き制御装置とを有する電話交換システムであって、前記読み書き制御装置に、前記交換制御装置からの情報を一時的に記憶する記憶手段と、前記交換制御装置が前記外部記憶装置にアクセスしているか否かを認識する認識手段と、前記管理装置を接続し、当該管理装置からの前記外部記憶装置へのアクセス要求を受信して、前記管理装置との間に通信路を設定する接続手段と、前記外部記憶装置を前記交換制御装置または前記接続手段に切り替え接続する切替手段と、前記接続手段を介して前記管理装置からの前記外部記憶装置へのアクセス要求を受信した場合に、前記認識手段にて前記交換制御装置が前記外部記憶装置にアクセスしていると認識したときは、アクセスできないことを前記接続手段を介して前記管理装置に通知し、また、前記交換制御装置が前記外部記憶装置にアクセスしていないと認識したときは、前記切替手段によって前記接続手段と前記外部記憶装置とを接続して、前記管理装置から前記外部記憶装置に対して前記制御情報の読み書きのアクセスを可能な状態にすると共に、前記管理装置が前記外部記憶装置をアクセスしている状態で、前記認識手段にて前記交換制御装置から前記外部記憶装置への書き込みアクセスが開始されることを認識した場合に、前記切替手段を制御して前記交換制御装置と前記記憶手段とを接続して、前記交換制御装置からの制御情報を前記記憶手段に一時的に記憶しておき、前記管理装置が前記外部記憶装置をアクセスしていない状態に移行したときに、前記記憶手段に一時的に記憶した制御情報を前記外部記憶装置に転送する制御手段とを備えたことを特徴とするものである。
【００１０】
さらに本発明の遠隔情報転送システムは、請求項３に記載の通り、電話網と、第一の情報処理装置と、前記第一の情報処理装置が処理動作を行う際に使用する処理情報を記憶する外部記憶装置と、前記電話網に接続されており、前記外部記憶装置に対して前記処理情報の読み書きのアクセスをし、当該外部記憶装置に記憶されている処理情報を管理する第二の情報処理装置と、前記電話網、前記第一の情報処理装置、および前記外部記憶装置に接続されており、前記第一の情報処理装置と前記外部記憶装置間、および前記第二の情報処理装置と前記外部記憶装置間における情報の読み書きを制御する読み書き制御装置とを有する遠隔情報転送システムであって、前記読み書き制御装置に、前記第一の情報処理装置からの情報を一時的に記憶する記憶手段と、前記第一の情報処理装置が前記外部記憶装置にアクセスしているか否かを監視する監視手段と、前記電話網に接続され、前記第二の情報処理装置からの前記外部記憶装置へのアクセス要求を受信し、前記第二の情報処理装置との間に通信路を設定する回線接続手段と、前記外部記憶装置を前記第一の情報処理装置または前記回線接続手段に切り替え接続する切替手段と、前記回線接続手段を介して前記第二の情報処理装置からの前記外部記憶装置へのアクセス要求を受信した場合に、前記監視手段にて前記第一の情報処理装置が前記外部記憶装置にアクセスしていると認識しているときは、アクセスできないことを前記回線接続手段および電話網を介して前記第二の情報処理装置に通知し、また、前記第一の情報処理装置が前記外部記憶装置にアクセスしていないと認識しているときは、前記切替手段によって前記回線接続手段と前記外部記憶装置とを接続して、前記第二の情報処理装置から前記外部記憶装置に対して前記処理情報の読み書きのアクセスを可能な状態にすると共に、前記第二の情報処理装置が前記外部記憶装置をアクセスしている状態で、前記認識手段にて前記第一の情報処理装置から前記外部記憶装置への書き込みアクセスが開始されることを認識した場合に、前記切替手段を制御して前記第一の情報処理装置と前記記憶手段とを接続し、前記第一の情報処理装置からの処理情報を前記記憶手段に一時的に記憶しておき、前記第二の情報処理装置が前記外部記憶装置をアクセスしていない状態に移行したときに、前記記憶手段に一時的に記憶した処理情報を前記外部記憶装置に転送する制御手段とを備えたことを特徴とするものである。
【００１１】
【作用】
従って本発明の情報読出し書込み方法によれば、読み書き制御装置によって、第二の情報処理装置からの外部記憶装置へのアクセス要求を認識した場合に、第一の情報処理装置が外部記憶装置にアクセスしているか否かを認識し、第一の情報処理装置が外部記憶装置にアクセスしているときは、第二の情報処理装置にアクセスできないことを通知し、第一の情報処理装置が前記外部記憶装置にアクセスしていないときは、第一の情報処理装置と外部記憶装置とを切断し、第二の情報処理装置と外部記憶装置とを接続することによって、人手を介さず、かつオンライン状態で第二の情報処理装置が外部記憶装置にアクセス可能な状態にすることができるので、外部記憶装置に対する情報の読み書きを容易に行うことができる。
【００１２】
また本発明の電話交換システムによれば、接続手段によって管理装置からの外部記憶装置へのアクセス要求を受信すると、この接続手段によって管理装置との間に通信路を設定するとともに、認識手段によって交換制御装置が外部記憶装置にアクセスしていると認識されているときは、アクセスできないことを接続手段を介して管理装置に通知し、また交換制御装置が外部記憶装置にアクセスしていないと認識されているときは、前記切替手段によって前記接続手段と前記外部記憶装置とを接続することによって、人手を介さず、かつオンライン状態で管理装置が外部記憶装置にアクセス可能な状態にすることができるので、外部記憶装置に対する情報の読み書きを容易に行うことができる。
【００１３】
さらに本発明の遠隔情報転送システムによれば、回線接続手段によって前記第二の情報処理装置からの前記外部記憶装置へのアクセス要求を受信すると、この回線接続手段によって第二の情報処理装置装置との間に通信路を設定するとともに、監視手段によって前記第一の情報処理装置が前記外部記憶装置にアクセスしていると認識されているときは、アクセスできないことを回線接続手段および電話網を介して第二の情報処理装置に通知し、また第一の情報処理装置が前記外部記憶装置にアクセスしていないと認識されているときは、切替手段によって回線接続手段と外部記憶装置とを接続することによって、人手を介さず、かつオンライン状態で管理装置が外部記憶装置にアクセス可能な状態にすることができるので、外部記憶装置に対する情報の読み書きを電話網を介して遠隔地から容易に行うことができる。
【００１４】
【実施例】
以下、本発明の実施例を図面により詳細に説明する。
【００１５】
図１は本発明の電話交換システムの第一実施例を示す外部記憶装置の接続構成図である。
【００１６】
図１において、１００は電話交換装置、４００は電話交換装置１００を管理するシステム管理装置４０２を具備しているローカルエリアネットワーク（ＬＡＮ）を示している。
【００１７】
また１０１は電話交換システムの全体を制御する中央制御装置、１０２は中央制御装置１０１が電話交換システムを制御するための制御プログラム、局データ等を格納する主記憶装置、１０３は電話交換システムの通話路系装置を各々示している。
【００１８】
１０４は制御プログラム、局データ等を格納する外部記憶装置、１０５は中央制御装置１０１が通話路系装置１０３を制御するための通話路制御線、１０６は中央制御装置１０１が主記憶装置１０２をアクセスするためのメモリ制御線、１０７は中央制御装置１０１が外部記憶装置１０４をアクセスするための入出力制御線、１０８は中央制御装置１０１が外部記憶装置１０４をアクセスしているかどうかを示すアウス（ＯＵＳ）信号を通知するアウス信号線、１０９は情報読み書き制御装置を各々示している。
【００１９】
外部記憶装置１０４において、２０１は光磁気ディスク記憶制御部、２０２は光磁気ディスクモジュール、２０３は光磁気ディスクモジュール２０２に装着される光磁気ディスクカートリッジを各々示している。
【００２０】
また２０４は光磁気ディスク記憶制御部２０１と情報読み書き制御装置１０９、光磁気ディスクモジュール２０２と情報読み書き制御装置１０９をそれぞれ接続するＳＣＳＩインタフェース制御線、４０１は情報読み書き制御装置１０９とＬＡＮ４００とを接続するネットワーク制御線を各々示している。
【００２１】
図２は上記の情報読み書き制御装置１０９のブロック構成図である。
【００２２】
図２に示す情報読み書き制御装置１０９において、３０８は中央制御装置１０１からのアウス信号を受信するアウス（ＯＵＳ）信号受信部、３０９は光磁気ディスク記憶制御部２０１からのＳＣＳＩインタフェース制御線２０４にアクセスする制御を行うＳＣＳＩインタフェース制御部を各々示している。
【００２３】
また３１０はバス変換部、３１１はＳＣＳＩインタフェース制御線２０４へ送出するデータ、およびＳＣＳＩインタフェース制御線２０４から受信するデータを一時的に格納するバッファメモリ、３１２は情報読み書き制御装置１０９の全体を制御するプロセッサ、３１３はバッファメモリ３１１内のデータをＳＣＳＩインタフェース制御線２０４へ送出し、またＳＣＳＩインタフェース制御線２０４からのデータをバッファメモリに書き込む制御を行うダイレクトメモリアクセス制御部を各々示している。
【００２４】
また３１４はＬＡＮ４００とのインタフェースを行うＬＡＮインタフェース制御部、３１８はアウス信号受信部３０８、ＳＣＳＩインタフェース制御部３０９、バス変換部３１０、およびバッファメモリ３１１を相互に接続しており、これらの間で制御情報、データ等を送受信させるバス（Ｂ）、３１９はバス変換部３１０、プロセッサ３１２、およびＬＡＮインタフェース制御部３１４を相互に接続しており、これらの間で制御情報、データ等を送受信させるバス（Ａ）を各々示している。
【００２５】
次に、図１を参照して本実施例の動作概要を説明する。
【００２６】
蓄積プログラム制御方式により電話交換システムを制御する中央制御装置１０１は、メモリ制御線１０６を介して主記憶装置１０２に蓄積されている制御プログラムおよびデータを読み込み、また主記憶装置１０２にデータ等を書き込みながら通話路系制御装置１０３を制御している。
【００２７】
このように中央制御装置１０１が通話路系制御装置１０３を制御している場合において、中央制御装置１０１は主記憶装置１０２に格納されている制御プログラム、データ、通話路系装置１０３の状態等を外部記憶装置１０４に書き込む必要が生じたときは、入出力制御線１０７を介して外部記憶装置１０４に書き込み指示を行い、また主記憶装置１０２内の制御プログラム、データ等を変更する必要が生じたときには、入出力制御線１０７を介して外部記憶装置１０４に読み込み指示を行う。
【００２８】
一方、前記指示を受けた外部記憶装置１０４内の光ディスク記憶制御部２０１はその指示に従い、ＳＣＳＩインタフェース制御線２０４を介して光ディスクモジュール２０２に装着されている光ディスクカートリッジ２０３内へ制御プログラム、データ、通話路系装置１０３の状態等の書き込みを行い、若しくは光ディスクカートリッジ２０３内のデータ等の読み込みを行う。
【００２９】
ところで、光磁気ディスクカートリッジ２０３内の制御プログラムをバージョンアップするとき、または光磁気ディスクカートリッジ２０３内に格納された局データを他の装置で読み込むときは、従来は光磁気ディスクカートリッジ２０３を差し替える必要があったが、本実施例においては光磁気ディスクカートリッジ２０３の差し替えを行う必要のない方式を提供できる。
【００３０】
これを簡単に説明すると、まず中央制御装置１０１は外部記憶装置１０４にアクセスしていないとき、外部記憶装置１０４をアクセスしていないことを示すアウス信号をアウス信号線１０８を介して情報読み書き制御装置１０９に通知する。
【００３１】
情報読み書き制御装置１０４はそのアウス信号を受信すると、外部から光磁気ディスクモジュール２０２をアクセスすることが可能であると認識し、この状態において、ＬＡＮ４００のシステム管理装置４０２から光磁気ディスクモジュール２０２へのアクセス要求がなされたとき、論理的にネットワーク制御線４０１とＳＣＳＩインタフェース制御線２０４とを接続し、光磁気ディスクモジュール２０２が仮想的にＬＡＮ４００の端末装置にみせかける。
【００３２】
これにより、システム管理装置４０２は光磁気ディスクカートリッジ２０３への制御プログラム、データ等の書き込み、または光磁気ディスクカートリッジ２０３内のデータ等の読み込みが可能となる。
【００３３】
以下、図３に示す本実施例の動作を説明するフローチャートに従い、本実施例の動作を詳細に説明する。
【００３４】
図３において、中央制御装置１０１、外部記憶装置１０４、情報読み書き制御装置１０９、およびシステム管理装置４０２はオンライン状態にある。
【００３５】
中央制御装置１０１は外部記憶装置１０４へのアクセスを必要とするか否かを認識しており（Ｓ１０１）、アクセスを必要としない場合、ＳＣＳＩインタフェース制御線２０４がフリーの状態であることを示すアウス信号をアウス信号線１０８から出力する（Ｓ１０２）。一方、外部記憶装置１０４へのアクセスを必要とする場合、アウス信号線１０８からのアウス信号の出力を停止し（Ｓ１０３）、入出力制御線１０７を介して外部記憶装置１０４をアクセスし、情報読み書き処理を実行する（Ｓ１０４）。
【００３６】
これにより、外部記憶装置１０４の光磁気ディスク記憶制御部２０１では、中央制御装置１０１の情報読み書き処理に応動して、ＳＣＳＩインタフェース制御線２０４を介して光ディスクモジュール２０２に装着されている光ディスクカートリッジ２０３内へ制御プログラム、データ、通話路系装置１０３の状態等の書き込みを行い、若しくは光ディスクカートリッジ２０３内のデータ等の読み込みを行う（Ｓ２０１）。
【００３７】
次に、中央制御装置１０１はアクセスを終了したか否かを判別し（Ｓ１０５）、終了していなければ情報読み書き処理を実行し（Ｓ１０４）、アクセスを終了したら、アウス信号線１０８からアウス信号を出力し（Ｓ１０２）、待機状態となる。
【００３８】
一方、システム管理装置４０２は、アクセス要求があるかを監視しており（Ｓ４０１）、要求がある場合には、アクセス要求情報を情報読み書き制御装置１０９に送信する（Ｓ４０２）。
【００３９】
情報読み書き制御装置１０９は、そのアクセス要求情報を受信すると（Ｓ３０１）、アウス信号受信部３０８をアクセスし、アウス信号が出力されているか否かを認識し（Ｓ３０２）、またＳＣＳＩインタフェース制御部３０９をアクセスし、ＳＣＳＩインタフェース制御線２０４がバス・フリーの状態にあるかを認識し（Ｓ３０３）、その後外部記憶装置１０４に対するアクセスが可能か判断する（Ｓ３０４）。
【００４０】
すなわち、アウス信号の出力がないか、またはバス・フリーの状態でない場合には、アクセス不可と認識し、このときには、システム管理装置４０２に対してアクセス不可情報を送信する（Ｓ３０５）。
【００４１】
システム管理装置４０２は、そのアクセス不可情報を受信すると、外部記憶装置１０４に対するアクセスが不可であることを認識し（Ｓ４０３）、再度アクセス要求情報を情報読み書き制御装置１０９に送信する状態に推移する。
【００４２】
またステップＳ３０４において、外部記憶装置１０４に対するアクセス可と認識した場合には、情報読み書き装置１０９は、システム管理装置４０２に対してアクセス可情報を送信し（Ｓ３０６）、その後ＳＣＳＩインタフェース制御部３０９と光磁気ディスクモジュール２０２が論理的に接続されるように、ＳＣＳＩインタフェース制御線２０４の接続切替制御を行う（Ｓ３０７）。
【００４３】
一方システム管理装置４０２は、そのアクセス可情報を受信すると、外部記憶装置１０４に対するアクセスが可能であることを認識し（Ｓ４０３）、情報読み書き装置１０９を介して、外部記憶装置１０４の光磁気ディスクカートリッジ２０３内への制御プログラム、データ等の書き込み、または光磁気ディスクカートリッジ２０３内のデータ等の読み込み処理を実行する（Ｓ４０４）。
【００４４】
このとき情報読み書き制御装置１０９は、インタフェース変換処理を行う（Ｓ３０８）。
【００４５】
すなわちＬＡＮ４００を介してシステム管理装置４０２から光磁気ディスクカートリッジ２０３内の情報を読み出すための読出し指示を受けると情報読み書き制御装置１０９は、この指示をＳＣＳＩインタフェース制御部３０９によってＳＣＳＩインタフェースに整合／変換して光磁気ディスクモジュール２０２に通知する。
【００４６】
この読出し指示を受けた光磁気ディスクモジュール２０２は、光磁気カートリッジ２０３に格納されている情報をＳＣＳＩインタフェース制御線２０４を介して情報読み書き制御装置１０９のＳＣＳＩインタフェース制御部３０９へ転送する。
【００４７】
情報読み書き制御装置１０９において、ＳＣＳＩインタフェース制御部３０９がＳＣＳＩインタフェース制御線２０４を介して外部記憶装置１０４からの情報を受信すると、受信された情報はバッファメモリ３１１に書き込まれる。
【００４８】
バッファメモリ３１１に書き込まれた情報は、バス（Ｂ）３１８を介し、バス（Ａ）３１９との接続制御を行うバス変換部３１０を経由した後に、バス（Ａ）３１９を介し、ＬＡＮインタフェース制御部３１４に転送される。
【００４９】
ＬＡＮインタフェース制御部３１４において、受信された情報はＬＡＮ４００のプロトコル、すなわちネットワーク制御線４０１のインタフェースに整合／変換され、ＬＡＮ４００を介してシステム管理装置４０２に送信される。
【００５０】
またＬＡＮ４００を介して、システム管理装置４０２から光磁気ディスクカートリッジ２０３内に対して情報を書き込みするための書き込み指示を受けると情報読み書き制御装置１０９は、この書き込み指示をＳＣＳＩインタフェース制御部３０９によってＳＣＳＩインタフェースに整合／変換して、光磁気ディスクモジュール２０２に通知する。
【００５１】
その後、ＬＡＮインタフェース制御部３１４がＳＣＳＩインタフェース制御線２０４を介して書き込み情報を受信すると、この情報をバス（Ａ）３１９を介し、バス（Ｂ）３１８との接続制御を行うバス変換部３１０を経由した後に、バス（ｂ）３１８を介してバッファメモリ３１１に転送される。
【００５２】
ＳＣＳＩインタフェース制御部３０９では、受信した情報をＳＣＳＩインタフェースに整合／変換して、光磁気ディスクモジュール２０２に送信し、光磁気ディスクモジュール２０２は、その情報を光磁気カートリッジ２０３内に格納する。
【００５３】
また情報読み書き制御装置１０９は、外部記憶装置１０４に対するアクセスを監視しており、システム管理装置４０２からの要求が正常に行われたか否かを示すアクセス結果情報をシステム管理装置４０２に通知する（Ｓ３０９）。
【００５４】
システム管理装置４０２では、そのアクセス結果情報を受信すると（Ｓ４０５）、正常に行われたか否かを確認し（Ｓ４０６）、正常に行われなかった場合には、再実行の指示を行い（Ｓ４０７）、再度情報読み書き処理を要求する。アクセスが正常に行われた場合には、アクセスを終了するか否かを判別し（Ｓ４０８）、終了するのであれば待機状態となり、終了しないのでなければ続きの情報読み書き処理を実行する。
【００５５】
以上のように、情報読み書き制御装置１０９によってインタフェース変換（Ｓ３０８）を行い、外部記憶装置１０４によって情報読み書き制御装置１０９からの要求に応動して情報の読み書き処理を行う（Ｓ２０１）ことによって、中央制御装置１０１と外部記憶装置１０４間のアクセス、および情報読み書き制御装置１０９を介して行われるシステム管理装置４０２と外部記憶装置１０４間のアクセスが行われる。
【００５６】
次に、システム管理装置４０２が情報読み書き制御装置１０９を介して外部記憶装置１０４と情報の転送動作をしているときに、中央制御装置１０１が外部記憶装置１０４にアクセスしてきた場合の動作を図４に示すフローチャートに従って説明する。
【００５７】
図４において、中央制御装置１０１のステップＳ１０１からＳ１０５までの処理動作、外部記憶装置１０４のステップＳ２０１、Ｓ２０２の処理動作、情報読み書き制御装置１０９のステップＳ３０１からＳ３０８までの処理動作、およびシステム管理装置のステップＳ４０１からＳ４０４までの処理動作は図３における処理動作と同様なので説明を省略する。
【００５８】
このようにシステム管理装置４０２が情報読み書き制御装置１０９を介して外部記憶装置１０４と情報の転送動作をしている場合に、中央制御装置１０１が外部記憶装置１０４に対し、アクセスする必要があると認識すると（Ｓ１０６）、アウス信号線１０８からのアウス信号の出力を停止し（Ｓ１０８）、入出力制御線１０７を介して外部記憶装置１０４をアクセスし、情報読み書き処理を実行する（Ｓ１０９）。
【００５９】
すなわちＳＣＳＩインタフェース制御線２０４に接続されている、中央制御装置１０１とのインタフェースを成す光磁気ディスク記憶制御部２０１を最もＳＣＳＩバス使用優先順位の高い（ＳＣＳＩ−ＩＤ  ７）イニシエータ、情報読み書き制御装置１０９のＳＣＳＩインタフェース制御部３０９を２番目にＳＣＳＩバス使用優先順位の高い（ＳＣＳＩ−ＩＤ  ６）イニシエータ、外部記憶装置１０４の光磁気ディスクモジュール２０２をターゲットと予め設定しておく。
【００６０】
従って、中央制御装置１０１のアクセス要求に応じて、光磁気ディスク記憶制御部２０２がＳＣＳＩインタフェース制御線２０４にアクセスすると、ＳＣＳＩバスの使用権は光磁気ディスク記憶制御部２０２が持つこととなり、これによって、情報読み書き制御装置１０９のＳＣＳＩインタフェース制御部３０９はＳＣＳＩバス・ビジーを検出する（Ｓ３１０）。
【００６１】
すると、プロセッサ３１４はＬＡＮインタフェース制御部３１４を介してシステム管理装置４０２に、アクセス不可情報を通知し（Ｓ３１１）、その後、ＳＣＳＩインタフェース制御部３０９が光磁気ディスクモジュール２０２と論理的に切り離されるように、ＳＣＳＩインタフェース制御線２０４の接続切替制御を行う（Ｓ３１２）。
【００６２】
一方システム管理装置４０２は、アクセス不可情報を受信することにより（Ｓ４０９）、再実行を行うための処理を行い（Ｓ４１０）、待機状態となる。
【００６３】
なお、中央制御装置１０１は、上記と同様にアクセスを終了したか否かの判別をしており（Ｓ１１０）、アクセスを終了していなければ、情報読み書き処理を実行し（Ｓ１０９）、アクセスを終了したら、アウス信号線１０８からアウス信号を出力し（Ｓ１０７）、待機状態となる。
【００６４】
このように上記の第一実施例によれば、ＬＡＮインタフェース制御部３１４によってシステム管理装置４０２からの外部記憶装置１０４へのアクセス要求を受信すると、このＬＡＮインタフェース制御部３１４によってシステム管理装置４０２との間に通信路を設定するとともに、アウス信号受信部３０８によって中央制御装置１０１が外部記憶装置１０４にアクセスしていると認識されているときは、ＬＡＮインタフェース制御部３１４を介してシステム管理装置４０２にアクセス不可通知をし、また中央制御装置１０１が外部記憶装置１０４にアクセスしていないと認識されているときは、ＳＣＳＩインタフェース制御部３０９によってＬＡＮインタフェース制御部３１４と外部記憶装置１０４とを論理的に接続することによって、人手を介さず、かつオンライン状態でシステム管理装置４０２が外部記憶装置１０４にアクセス可能な状態にすることができるので、システム管理装置４０２による外部記憶装置１０１に対する情報の読み書き、例えば処理プログラムのバージョン・アップ、データの変更等を容易に行うことができる。
【００６５】
次に本発明の電話交換システムの第二実施例について図面により説明する。
【００６６】
なお、本実施例のシステム構成は図１および図２に示す第一実施例と同様であるので、システム構成の説明を省略するとともに、以下の説明においては必要に応じてこの図１および図２を引用する。
【００６７】
また本実施例の基本的な動作は、図３に示す第一実施例と同様であるので、その説明を省略する。
【００６８】
以下に、本実施例においてシステム管理装置４０２が情報読み書き制御装置１０９を介して外部記憶装置１０４と情報の転送動作をしている場合に、中央制御装置１０１が外部記憶装置１０４にアクセスしてきた場合の動作を図５に示すフローチャートに従って説明する。
【００６９】
図５において、図４と同様に、システム管理装置４０２が情報読み書き制御装置１０９を介して外部記憶装置１０４と情報の転送動作をしている場合に、中央制御装置１０１が外部記憶装置１０４に対し、アクセスする必要があると認識すると（Ｓ１１１）、アウス信号線１０８からのアウス信号の出力を停止し（Ｓ１１３）、入出力制御線１０７を介して外部記憶装置１０４をアクセスし、情報読み書き処理を実行する（Ｓ１１４）。
【００７０】
一方、情報読み書き制御装置１０９は、ＳＣＳＩインタフェース制御線２０４を監視しており、中央制御装置１０１が入出力制御線１０７を介して外部記憶装置１０４にアクセス要求をしたことを認識すると、仮想的に光磁気ディスクモジュール２０２の代行を行い、中央制御装置１０１の情報読み書き処理に応動して、光磁気ディスク制御部２０１より受信した情報を一時的にバッファメモリ３１１等に記憶する（Ｓ３２１）。
【００７１】
また情報読み書き制御装置１０９は、システム管理装置４０２と外部記憶装置１０４との間の動作状態を監視し、一時記憶した情報を光磁気ディスクモジュール２０２に転送する等のアクセスが可能であると判断した場合には（Ｓ３２２）、仮想的に光磁気ディスク制御部２０１の代行を行い、一時記憶した情報の読み書き処理を実行し（Ｓ３２３）、外部記憶装置１０４の光磁気ディスクモジュール２０２は、これに応動して情報読み書き処理を実行する（Ｓ２１１）。
【００７２】
次に、中央制御装置１０１に関するアクセスが終了したか否かを判断し（Ｓ３２４）、終了していない場合は、再度、中央制御装置１０１の要求に応える。
【００７３】
このように、情報読み書き制御装置１０９が中央制御装置１０１と外部記憶装置１０４の光磁気ディスクモジュール２０２との仲介を行い、中央制御装置１０１からのアクセス要求とシステム管理装置４０２からのアクセス要求とをマネージメントし、時分割多重処理的なアクセス制御を行うことにより、仮想的に中央制御装置１０１とシステム管理装置４０２とが同時に外部記憶装置１０４をアクセスしているように見せ掛けることができる。
【００７４】
このように上記の第二実施例によれば、アウス信号受信部３０８によって中央制御装置１０１による外部記憶装置１０４へのアクセスが開始されることを認識した場合に、システム管理装置４０２が外部記憶装置１０４をアクセスしているときは、ＳＣＳＩインタフェース制御部３０９によって中央制御装置１０１とバッファメモリ３１１とを論理的に接続して、中央制御装置１０１からの情報をバッファメモリ３１１に一時的に記憶しておき、システム管理装置４０２が外部記憶装置１０４をアクセスしていないときに、バッファメモリ３１１に一時的に記憶した情報を外部記憶装置１０４に転送することによって、上記の効果に加えて、中央制御装置１０１が外部記憶装置１０４に対するアクセスを開始しても、システム管理装置４０２の外部記憶装置１０４に対するアクセスを停止する必要がない。
【００７５】
なお、以上の説明は、システム管理装置４０２が情報読み書き制御装置１０９を介して外部記憶装置１０４と情報の転送動作をしているときに、中央制御装置１０１が外部記憶装置１０４に対しアクセスする場合を例にしているが、中央制御装置１０１が外部記憶装置１０４と情報の転送動作をしているときに、システム管理装置４０２が情報読み書き制御装置１０９を介して外部記憶装置１０４に対しアクセスする場合についても同様に処理することができることは明らかである。
【００７６】
次に、本発明をパーソナルコンピュータ（ＰＣ）、ワークステーション等のコンピュータシステムに適用した第三実施例を説明する。
【００７７】
図６は本発明の第三実施例の構成を示すシステム構成図である。
【００７８】
図６において、５０１はパーソナルコンピュータ等の制御装置、５０３は制御装置５０１が処理動作を行うために必要な処理プログラム、データを格納するハードディスク等の外部記憶装置、５２３は公衆電話網を各々示している。
【００７９】
また５２４は公衆電話網５２３に接続されており、外部記憶装置５０３をアクセスし、外部記憶装置５０３内に格納されている処理プログラム、データの変更、外部記憶装置５０３内への処理プログラム、データの格納等のサービス処理を行うサービスセンター、５０５は制御装置５０１、外部記憶装置５０３、および公衆電話網５２３を接続しており、制御装置５０１、または公衆電話網５２４を介して接続されるサービスセンタ５２４を外部記憶装置５０３に切り替え接続する情報読み書き制御装置を各々示している。
【００８０】
また５０２は制御装置５０１内に設けたＳＣＳＩインタフェースによる入出力部（図示せず）を制御するＳＣＳＩインタフェース制御部、５０６はＳＣＳＩインタフェース制御部５０２と情報読み書き制御装置５０５とを接続するＳＣＳＩケーブル、５２５は外部記憶装置５０３内に設けたハードディスクモジュール、５０４はハードディスクモジュール５２５を制御するハードディスク記憶制御部、５０７は外部記憶装置５０３内のＳＣＳＩインタフェースによる入出力部（図示せず）と情報読み書き制御装置５０５とを接続するＳＣＳＩケーブルを各々示している。
【００８１】
なお通常の状態においては、制御装置５０１のＳＣＳＩインタフェース制御部５０２と外部記憶装置５０３のハードディスク記憶制御部５０４とは情報読み書き制御装置５０５を介して、ＳＣＳＩインタフェースにより論理的に接続されている。
【００８２】
情報読み書き装置５０５において、５１０はＳＣＳＩインタフェース制御部（Ａ）、５０９は制御装置５０１のＳＣＳＩインタフェース制御部５０２を、外部記憶装置５０３のハードディスク５０４か、ＳＣＳＩインタフェース制御部（Ａ）５１０のいずれかに接続するスイッチ（Ａ）、５１１はサービスセンター５２４からの処理プログラム、データを格納し、制御装置５０１に提供するバッファメモリ（Ａ）を各々示している。
【００８３】
また５１５はＳＣＳＩインタフェース制御部（Ｂ）、５１４は外部記憶装置５０３のハードディスク記憶制御部５０４を、スイッチ（Ａ）５０９か、ＳＣＳＩインタフェース制御部（Ｂ）５１５のいずれかに接続するスイッチ（Ｂ）、５１６はサービスセンター５２４からの処理プログラム、データ、および外部記憶装置５０３の処理プログラム、データを格納するバッファメモリ（Ｂ）を各々示している。
【００８４】
５１２は制御装置５０１と外部記憶装置５０３間のＳＣＳＩインタフェースのバス・フリー状態を監視するＳＣＳＩバス監視回路、５１３は情報読み書き制御装置５０５のすべての動作を制御するプロセッサ、５１７はサービスセンター５２４からのプログラム、データ等を、バッファメモリ（Ａ）５１１またはバッファメモリ（Ｂ）５１６のいずれかに転送されるよう切り替えを行うスイッチ（Ｃ）、５２０は公衆電話網５２３とのインタフェースを確立し、サービスセンター５２４からのプログラム、データ等を送受信するモデムインタフェース制御部を各々示している。
【００８５】
なお、サービスセンター５２４は、公衆電話網５２３とのインタフェースを確立し、サービスセンター５２４からのプログラム、データ等を送受信するモデムインタフェース装置、このモデムインタフェース装置に接続されるコンピュータシステム（情報処理装置）等を備えているが、これらの構成は自明であるので詳細な説明を省略する。
【００８６】
次に、図７ないし図９に示すフローチャートに従って、サービスセンター５２４から外部記憶装置５０３へプログラム、データを書き込みする場合の動作について説明する。
【００８７】
通常は、情報読み書き制御装置５０５のスイッチ（Ａ）５０９、およびスイッチ（Ｂ）５１４は、ＳＣＳＩ通信線５０８側に接続しており、ＳＣＳＩインタフェース制御部５０２とハードディスク記憶制御部５０４とが論理的に接続された状態にある。
【００８８】
図７において、情報読み書き制御装置５０５およびサービスセンター５２４はオンライン状態であり、情報読み書き制御装置５０５は、サービスセンター５２４からのデータ着信およびコマンド着信をスキャンしている（Ｓ７０３、Ｓ７０５）。
【００８９】
この状態において、サービスセンター５２４でアクセス要求がなされ（Ｓ７０１）、情報読み書き制御装置に発信すると（Ｓ７０２）、情報読み書き制御装置５０５は着信を検出し、これに応答してサービスセンター５２４と情報読み書き制御装置５０５の間に通話路を確立させるための処理を実行する（Ｓ７０３）。
【００９０】
次に通話路が確立し、サービスセンター５２４が「書き込み（Ａ）側」のコマンドを公衆電話網５２３を介して情報読み書き制御装置５０５へ送信すると（Ｓ７０４）、情報読み書き制御装置５０５はそのコマンドをモデムインタフェース制御部５２０を介して受信し（Ｓ７０５）、そのアクセスがＡ側か否かを判断し（Ｓ７０６）、Ａ側の場合にはスイッチ（Ｃ）５１７を信号線５１８側へ切り替え（Ｓ７０９）、モデムインタフェース制御部５２０を介してサービスセンター５２４へアクセス完了信号を返送する（Ｓ７１０）。
【００９１】
ステップＳ７０６においてＡ側以外へのアクセスであると認識した場合には、再送要求信号を返送し（Ｓ７０７）、サービスセンター５２４は、再送要求信号を受信した場合、再度「書き込み（Ａ）側」のコマンドを送信するように制御する（Ｓ７０８）。
【００９２】
またサービスセンター５２４は、完了報告信号の受信を認識すると（Ｓ７１１）、この時点で外部記憶装置５０３に格納されているプログラム、データと同一のプログラム、データを情報読み書き制御装置５０５に送信する（Ｓ７１２）。
【００９３】
情報読み書き制御装置５０５では、サービスセンター５２４より送信されてきたプログラム、データをバッファメモリ（Ａ）５１１に格納して（Ｓ７１３）、正常に書き込みが行われたかを判断し（図８のＳ７１４）、正常に書き込みが行われたときには正常終了報告信号をサービスセンター５２４に送信し（Ｓ７１６）、異常であれば異常報告信号をサービスセンター５２４へ送信する（Ｓ７１５）。
【００９４】
次にサービスセンター５２４は、情報読み書き制御装置５０５からの終了報告を判断し（Ｓ７１７）、異常報告であればプログラム、データの再送指示をし（Ｓ７１８）、正常報告であれば、「書き込み（Ｂ）側」のコマンドを情報読み書き制御装置５０５へ送信する（Ｓ７１９）。
【００９５】
すると情報読み書き制御装置５０５は、そのアクセスがＢ側か判別し（Ｓ７２０）、Ｂ側の場合には、スイッチ（Ｃ）５１７を信号線５１９側へ切り替え（Ｓ７２３）、モデムインタフェース制御部５２０を介してサービスセンター５２４ヘアクセス完了報告信号を返送する（Ｓ７２４）。
【００９６】
またステップＳ７２０において、Ｂ側以外へのアクセスであると認識した場合には、再送要求信号を返送し（Ｓ７２１）、サービスセンター５２４は再送要求信号を受信した場合、再度「書き込み（Ｂ）側」のコマンドを送信するように制御する（Ｓ７２２）。
【００９７】
また、サービスセンター５２４は、アクセス完了報告信号の受信を認識すると（Ｓ７２５）、外部記憶装置５０３に対して格納する新たな（すなわちバージョン・アップされた）プログラム、データを情報読み書き制御装置５０５に送信する（Ｓ７２６）。
【００９８】
すると、情報読み書き制御装置５０５では、その送信されてきたプログラム、データをバッファメモリ（Ｂ）５１６に格納して（Ｓ７２７）、正常に書き込みが行われたかを判断し（図９のＳ７２８）、正常に書き込みが行われたときには正常終了報告信号をサービスセンター５２４に送信し（Ｓ７３０）、異常であれば異常報告信号をサービスセンター５２４へ送信する（Ｓ７２９）。
【００９９】
正常に書き込みが行われた場合、次に情報読み書き制御装置５０５は、制御装置５０１と外部記憶装置５０３間のＳＣＳＩバス（ＳＣＳＩ通信線５０８）がバスフリーの状態にあるか否かをＳＣＳＩバス監視回路５１２で監視し（Ｓ７３３）、バスフリーの状態であれば、スイッチ（Ａ）５０９をＳＣＳＩ通信線５２１に、スイッチ（Ｂ）５１４をＳＣＳＩ通信線５２２に各々切り替える（Ｓ７３４）。
【０１００】
次に情報読み書き制御装置５０５は、バッファメモリ（Ｂ）５１６に格納されている処理プログラム、データを、ＳＣＳＩインタフェース制御部（Ｂ）５１５およびスイッチ（Ｂ）５１４を経由し、外部記憶装置５０４に転送する（Ｓ７３５）。
【０１０１】
そして、転送が正常に行われたかを判断し（Ｓ７３６）、異常であれば再送を行い、正常終了であれば、サービスセンター５２４へ転送完了報告信号を送信する（Ｓ７３７）。
【０１０２】
一方、サービスセンター５２４は、転送完了報告信号の受信を検出するスキャン処理を行っており（Ｓ７３８）、転送完了報告信号を受信したとき、一連の転送動作を終了する。
【０１０３】
なお、バッファメモリ（Ｂ）５１６と外部記憶装置５０３間で処理プログラム、データを転送している場合に、制御装置５０１から外部記憶装置５０３に対するアクセスがあったときには、スイッチ（Ａ）５０９、ＳＣＳＩインタフェース制御部５１０を介して、バッファメモリ（Ａ）５１１に一時的に格納した元の処理プログラム、データで対応する。
【０１０４】
次に情報読み書き制御装置５０５は、バッファメモリ（Ｂ）５１６と外部記憶装置５０３間のＳＣＳＩインタフェース処理プロトコルが正常終了したら、ＳＣＳＩインタフェース制御部（Ａ）５１０によって、制御装置５０１からのアクセス要求に基づくＳＣＳＩ通信線（Ａ）５２１のバス状態を監視し（Ｓ７３９）、バスフリー状態を検出したら、スイッチ（Ａ）５０９とスイッチ（Ｂ）５１４とをＳＣＳＩ信号線５０８側へ切り替える（Ｓ７４０）。
【０１０５】
なお、バッファメモリ（Ｂ）５１６と外部記憶装置５０３間で処理プログラム、データを転送している場合に、制御装置５０１から外部記憶装置５０３に対するアクセスがあったときに、この制御装置５０１からのアクセス要求に応答する必要のないシステムにおいては、スイッチ（Ａ）５０９、ＳＣＳＩインタフェース制御部５１０を介して、バッファメモリ（Ａ）５１１に一時的に格納した元の処理プログラム、データで対応する必要がなく、この場合には、スイッチ（Ａ）５０９、ＳＣＳＩインタフェース制御部５１０、バッファメモリ（Ａ）５１１、及びスイッチ（Ｃ）５１７を設ける必要はなく、さらに図７および図８におけるステップＳ７０４ないしＳ７１８の処理を行う必要はない。
【０１０６】
また第一実施例のように、制御装置５０１が外部記憶装置５０３に対するアクセスの優先権を持つように設定し、バッファメモリ（Ｂ）５１６と外部記憶装置５０３間で処理プログラム、データを転送している場合に、制御装置５０１から外部記憶装置５０３に対するアクセスがあったときには、バッファメモリ（Ｂ）５１６と外部記憶装置５０３間の接続を強制的に切断させ、制御装置５０１と外部記憶装置５０３間を論理的に接続するように構成した場合においても、スイッチ（Ａ）５０９、ＳＣＳＩインタフェース制御部５１０、バッファメモリ（Ａ）５１１、およびスイッチ（Ｃ）５１７を設ける必要はなく、さらに図７および図８におけるステップＳ７０４ないしＳ７１８の処理を行う必要はないことは自明である。
【０１０７】
このように上記の第三実施例によれば、モデムインタフェース制御部５２０によってサービスセンター５２４からの外部記憶装置５０３へのアクセス要求を受信すると、このモデムインタフェース制御部５２０によってサービスセンター５２４との間に通信路を設定し、バッファメモリ（Ａ）５１１に外部記憶装置１０４内に記憶されている処理情報を一時的に格納し、スイッチ（Ｂ）５１４によってモデムインタフェース制御部５２０と外部記憶装置１０４とを論理的に接続して、外部記憶装置１０４内の処理情報をサービスセンター５２４から送信された処理情報に書き換え、この処理情報の書き換えが完了するまでの間、スイッチ（Ａ）５０９によって制御装置５０１とバッファメモリ（Ａ）５１１を論理的に接続することによって、人手を介さず、かつオンライン状態でサービスセンター５２４が外部記憶装置１０４にアクセス可能な状態にすることができるので、外部記憶装置１０４に対する情報の読み書きを遠隔地から容易に行うことができ、パーソナルコンピュータ、ワークステーション等の制御装置５０２に付帯するハードディスク等の外部記憶装置１０４にインストールされているアプリケーション・プログラムのバージョン・アップ等を、電話網５２３を介して遠隔地のサービスセンター５２４から容易に行うことが可能となり、ユーザーに対するサービス性を向上させることができる。
【０１０８】
また制御装置１０１が外部記憶装置１０４に対してアクセスを開始しても、サービスセンター５２４の外部記憶装置１０４に対するアクセスを停止する必要がない。
【０１０９】
【発明の効果】
上記の実施例から明らかなように、本発明の情報読出し書込み方法によれば、読み書き制御装置によって、第二の情報処理装置からの外部記憶装置へのアクセス要求を認識した場合に、第一の情報処理装置が外部記憶装置にアクセスしているか否かを認識し、第一の情報処理装置が外部記憶装置にアクセスしているときは、第二の情報処理装置にアクセスできないことを通知し、第一の情報処理装置が外部記憶装置にアクセスしていないときは、第一の情報処理装置と外部記憶装置とを切断し、第二の情報処理装置と外部記憶装置とを接続することによって、人手を介さず、かつオンライン状態で第二の情報処理装置が外部記憶装置にアクセス可能な状態にすることができるので、外部記憶装置に対する情報の読み書きを容易に行うことができるという効果を有する。
【０１１０】
また本発明の情報読出し書込み方法によれば、読み書き制御装置によって、第一の情報処理装置による外部記憶装置へのアクセスが開始されることを認識した場合に、第二の情報処理装置が外部記憶装置をアクセスしているときは、第一の情報処理装置と記憶手段とを接続して、第一の情報処理装置からの情報を記憶手段に一時的に記憶しておき、第二の情報処理装置が外部記憶装置をアクセスしていないときに、記憶手段に一時的に記憶した情報を外部記憶装置に転送することによって、上記の効果に加えて、第一の情報処理装置が外部記憶装置に対して情報の書き込みを開始しても、第二の情報処理装置の外部記憶装置に対するアクセスを停止する必要がないという効果を有する。
【０１１１】
また本発明の情報読出し書込み方法によれば、読み書き制御装置によって、第二の情報処理装置からの外部記憶装置へのアクセス要求が認識された場合に、外部記憶装置内の処理情報を一時的に記憶手段内に格納し、その後、第二の情報処理装置と外部記憶装置とを接続して、外部記憶装置内の処理情報を第二の情報処理装置から送信された処理情報に書き換え、この処理情報の書き換えが完了するまでの間、第一の情報処理装置と記憶手段とを接続することによって第一の情報処理装置が外部記憶装置に対して情報の読み込みを開始しても、第二の情報処理装置の外部記憶装置に対するアクセスを停止する必要がないという効果を有する。
【０１１２】
次に本発明の電話交換システムによれば、接続手段によって管理装置からの外部記憶装置へのアクセス要求を受信すると、この接続手段によって管理装置との間に通信路を設定するとともに、認識手段によって交換制御装置が外部記憶装置にアクセスしていると認識されているときは、アクセスできないことを接続手段を介して管理装置に通知し、また交換制御装置が外部記憶装置にアクセスしていないと認識されているときは、切替手段によって接続手段と外部記憶装置とを接続することによって、人手を介さず、かつオンライン状態で管理装置が外部記憶装置にアクセス可能な状態にすることができるので、外部記憶装置に対する情報の読み書きを容易に行うことができるという効果を有し、従って電話交換システムを常時オンライン状態に保った状態で、処理プログラムのバージョン・アップ、データの変更等を容易に行うことができる。
【０１１３】
次に本発明の遠隔情報転送システムによれば、回線接続手段によって前記第二の情報処理装置からの前記外部記憶装置へのアクセス要求を受信すると、この回線接続手段によって第二の情報処理装置装置との間に通信路を設定するとともに、監視手段によって前記第一の情報処理装置が外部記憶装置にアクセスしていると認識されているときは、アクセスできないことを回線接続手段および電話網を介して第二の情報処理装置に通知し、また第一の情報処理装置が外部記憶装置にアクセスしていないと認識されているときは、切替手段によって回線接続手段と外部記憶装置とを接続することによって、人手を介さず、かつオンライン状態で管理装置が外部記憶装置にアクセス可能な状態にすることができるので、外部記憶装置に対する情報の読み書きを電話網を介して遠隔地から容易に行うことができるという効果を有し、従ってパーソナルコンピュータ、ワークステーション等のハードディスクにインストールされているアプリケーション・プログラム等を、遠隔地のサービスセンターでバージョン・アップすることも可能となり、ユーザーに対するサービス性を向上させることができる。
【図面の簡単な説明】
【図１】本発明の第一実施例の構成を示すシステム構成図であり、外部記憶装置の接続構成を示すものである。
【図２】本発明の第一実施例の構成を示すシステム構成図であり、情報読み書き制御装置のブロック構成を示すものである。
【図３】本発明の第一実施例の動作を説明するフローチャートである。
【図４】本発明の第一実施例の動作を説明するフローチャートであり、システム管理装置が情報読み書き制御装置を介して外部記憶装置と情報の転送動作をしているときに、中央制御装置が外部記憶装置にアクセスしてきた場合の動作を説明するものである。
【図５】本発明の第二実施例の動作を説明するフローチャートであり、システム管理装置が情報読み書き制御装置を介して外部記憶装置と情報の転送動作をしているときに、中央制御装置が外部記憶装置にアクセスしてきた場合の動作を説明するものである。
【図６】本発明の第三実施例の構成を示すシステム構成図である。
【図７】本発明の第三実施例の動作を説明するフローチャート（１／３）である。
【図８】本発明の第三実施例の動作を説明するフローチャート（２／３）である。
【図９】本発明の第三実施例の動作を説明するフローチャート（３／３）である。
【符号の説明】
１００  電話交換装置
１０１  中央制御装置
１０２  主記憶装置
１０３  通話路系装置
１０４  外部記憶装置
１０５  通話路制御線
１０６  メモリ制御線
１０７  入出力制御線
１０８  アウス信号線
１０９  情報読み書き制御装置
２０１  光磁気ディスク記憶制御部
２０２  光磁気ディスクモジュール
２０３  光磁気ディスクカートリッジ
２０４  ＳＣＳＩインタフェース制御線
３１０  バス変換部
３１１  バッファメモリ
３１２  プロセッサ
３１３  ダイセクトメモリアクセス制御部
３１４  ＬＡＮインターフェイス制御部
３１８  バス（Ａ）
３１９  バス（Ｂ）
４００  ローカルエリアネットワーク（ＬＡＮ）
４０１  ネットワーク制御線
４０２  システム管理装置
５０１  制御装置
５０２  ＳＣＳＩインタフェース制御部
５０３  外部記憶装置
５０４  ハードディスク記憶制御部
５０５  情報読み書き制御装置
５０６、５０７  ＳＣＳＩケーブル
５０８、５２１、５２２  ＳＣＳＩ通信線
５０９  スイッチ（Ａ）
５１０  ＳＣＳＩインタフェース制制御部（Ａ）
５１１  バッファメモリ（Ａ）
５１２  ＳＣＳＩバス監視回路
５１３  プロセッサ
５１４  スイッチ（Ｂ）
５１５  ＳＣＳＩインタフェース制御部（Ｂ）
５１６  バッファメモリ（Ｂ）
５１７  スイッチ（Ｃ）
５１８、５１９  信号線
５２３  公衆電話網
５２４  サービスセンター
５２５  ハードディスクモジュール
５２０  モデムインタフェース制御部
【図１】
0003611642.tif 000002
【図２】
0003611642.tif 000003
【図３】
0003611642.tif 000004
【図４】
0003611642.tif 000005
【図５】
0003611642.tif 000006
【図６】
0003611642.tif 000007
【図７】
0003611642.tif 000008
【図８】
0003611642.tif 000009
【図９】
0003611642.tif 000010